(57)【要約】      （修正有）【課題】部品の追加又は加工工程の追加をしなくてもカマの動きを制御することができ、またカマをスムーズに回転させることができるカマ錠を提供する。【解決手段】カマ錠は、開口部を有するケース１４と、ケース１４の開口部を覆う蓋と、ケース１４の内側に配置され、蓋をケース１４に固定するための支柱２１と、ケース１４に施錠方向及び解錠方向に直進移動可能な移動部材２と、移動部材２にカマ軸２２の回りを回転可能に連結されるカマ４ａ，４ｂと、を備える。移動部材２が解錠方向に直進移動するとき、カマ４ａ，４ｂがケース１４の内側に配置される支柱２１に接してカマ軸２２を支点にして解錠方向（閉じ方向）に回転する。【選択図】図７
2014159705.tif 000002
【特許請求の範囲】
【請求項１】
開口部を有するケースと、
前記ケースの開口部を覆う蓋と、
前記ケースの内側に配置され、前記蓋を前記ケースに固定するための支柱と、
前記ケースに施錠方向及び解錠方向に直進移動可能な移動部材と、
前記移動部材にカマ軸の回りを回転可能に連結されるカマと、を備え、
前記移動部材が解錠方向に直進移動するとき、前記カマが前記ケースの内側に配置される前記支柱に接して、前記カマ軸を支点にして解錠方向に回転するカマ錠。
【請求項２】
解錠状態では、前記カマが前記支柱と前記ケースの内壁との間に配置されることを特徴とする請求項１に記載のカマ錠。
【請求項３】
前記移動部材が施錠方向に直進移動するとき、前記支柱から解放された前記カマが前記ケースに接して前記カマ軸を支点にして施錠方向に回転することを特徴とする請求項１又は２に記載のカマ錠。
【請求項４】
前記支柱の外形は円筒形に形成されることを特徴とする請求項１ないし３のいずれかに記載のカマ錠。
【請求項５】
前記移動部材の施錠方向及び解錠方向の直進移動は、一対の前記支柱に案内されることを特徴とする請求項１ないし４のいずれかに記載のカマ錠。
【請求項６】
前記移動部材は、受け座に係合可能なデッドボルトであることを特徴とする請求項１ないし５のいずれかに記載のカマ錠。
【発明の詳細な説明】
【技術分野】
【０００１】
本発明は、デッドボルトに回転可能にカマが連結されるカマ錠に関する。
【背景技術】
【０００２】
錠は、住宅、店舗、又オフィスの出入り口、机の引出し、金庫などに使用されており、財産を守るためになくてはならないものになっている。錠は、扉、引出し等に取り付けられる。錠には施錠するためのデッドボルトが出没可能に設けられる。デッドボルトは錠にさした鍵によって操作される。扉、引出し等の枠には、錠ケースから出てくるデッドボルトを受ける受け座が設けられる。
【０００３】
錠の一種として、デッドボルトに回転可能にカマが連結されるカマ錠が知られている。カマ錠は、草や芝を刈るのに使う農具であるカマのような形をした先端部を回転させ、枠にある受け座に先端部を引っ掛けて施錠するものである。デッドボルトにカマを併設することで、さらなる防犯性能の向上を図れ、また回転する扉だけでなく引き戸を施錠することも可能になる。
【０００４】
デッドボルトにカマを併設したカマ錠として、特許文献１には、ケースにデッドボルトを出没可能に設け、ケースに左右一対のカマを回転可能に連結し、デッドボルトの施錠方向及び解錠方向の直進移動に連動して左右一対のカマが施錠方向（開き方向）及び解錠方向（閉じ方向）に回転するようにしたカマ錠が記載されている。ケースには外筒及び内筒を備えるシリンダが固定される。シリンダに鍵をさし、内筒を回転させると、内筒に固定される操作アームが回転し、操作アームに係合するデッドボルトが直進移動する。左右一対のカマ間には、左右一対のカマを施錠方向（開き方向）に付勢する板ばねが架け渡される。
【０００５】
他の構造のカマ錠として、特許文献２には、ケースにデッドボルトを出没可能に設け、左右一対のカマをデッドボルトに回転可能に連結したカマ錠が記載されている。ケースには左右一対のカマの回転運動を制御する左右一対の案内溝が形成される。左右一対のカマには左右一対の案内溝に嵌まるピンが設けられる。デッドボルトを施錠方向及び解錠方向に直進移動させると、デッドボルトの直進移動に連動して左右一対のカマが施錠方向（開き方向）及び解錠方向（閉じ方向）に回転する。
【０００６】
さらに他の構造のカマ錠として、特許文献３には、ケースにデッドボルトを出没可能に設け、左右一対のカマをデッドボルトに回転可能に連結し、ケースの側壁を利用して左右一対のカマを回転させるカマ錠が記載されている。ケースの側壁にはデッドボルト及び左右一対のカマが出入りする孔が開けられる。デッドボルトが施錠方向に直進移動すると、左右一対のカマがケースの側壁の内側に接して施錠方向（開き方向）に回転する。デッドボルトが解錠方向に直進移動するとき、左右一対のカマが受け座に接して解錠方向（閉じ方向）に回転する。
【先行技術文献】
【特許文献】
【０００７】
【特許文献１】実開平６−６５５８３号公報
【特許文献２】中国実用新案公告第２０１０９２７６０号明細書
【特許文献３】実開昭５０−２４５９５号公報
【発明の概要】
【発明が解決しようとする課題】
【０００８】
しかし、特許文献１に記載のカマ錠にあっては、カマを施錠方向に付勢する板ばねを使用するので部品点数が多くなるという問題がある。
【０００９】
特許文献２に記載のカマ錠にあっては、ケースにカマの回転運動を制御する案内溝を加工する必要があるので、案内溝の加工に手間がかかるという問題がある。また、案内溝によって制御されるカマの回転運動に自由度が少なく、カマをスムーズに回転させるのが困難であるという問題もある。
【００１０】
特許文献３に記載の発明にあっては、カマを解錠方向に回転させるのに受け座を利用するので、カマをスムーズに解錠方向に回転させるのが困難であるという問題がある。
【００１１】
そこで本発明は、部品の追加又は加工工程の追加をしなくてもカマの動きを制御することができ、またカマをスムーズに回転させることができるカマ錠を提供することを目的とする。
【課題を解決するための手段】
【００１２】
上記課題を解決するために、請求項１に記載の発明は、開口部を有するケースと、前記ケースの開口部を覆う蓋と、前記ケースの内側に配置され、前記蓋を前記ケースに固定するための支柱と、前記ケースに施錠方向及び解錠方向に直進移動可能な移動部材と、前記移動部材にカマ軸の回りを回転可能に連結されるカマと、を備え、前記移動部材が解錠方向に直進移動するとき、前記カマが前記ケースの内側に配置される前記支柱に接して、前記カマ軸を支点にして解錠方向に回転するカマ錠である。
【００１３】
請求項２に記載の発明は、請求項１に記載のカマ錠において、解錠状態では、前記カマが前記支柱と前記ケースの内壁との間に配置されることを特徴とする。
【００１４】
請求項３に記載の発明は、請求項１又は２に記載のカマ錠において、前記移動部材が施錠方向に直進移動するとき、前記支柱から解放された前記カマが前記ケースに接して前記カマ軸を支点にして施錠方向に回転することを特徴とする。
【００１５】
請求項４に記載の発明は、請求項１ないし３のいずれかに記載のカマ錠において、前記支柱の外形は円筒形に形成されることを特徴とする。
【００１６】
請求項５に記載の発明は、請求項１ないし４のいずれかに記載のカマ錠において、前記移動部材の施錠方向及び解錠方向の直進移動は、一対の前記支柱に案内されることを特徴とする。
【００１７】
請求項６の記載の発明は、請求項１ないし５のいずれかに記載のカマ錠において、前記移動部材は、受け座に係合可能なデッドボルトであることを特徴とする。
【発明の効果】
【００１８】
請求項１に記載の発明によれば、蓋をケースに固定するための支柱を利用することで、部品の追加又は加工工程の追加をしなくてもカマの動きを制御できる。また、ケースの内側に設けられる支柱を利用してカマを解錠方向に回転させることで、カマをスムーズに解錠方向に回転させることができる。
【００１９】
請求項２に記載の発明によれば、解錠状態において、カマの回転の自由度が無くなるので、解錠状態のカマの姿勢を一定に保つことができる。
【００２０】
請求項３に記載の発明によれば、カマをスムーズに施錠方向に回転させることができる。
【００２１】
請求項４に記載の発明によれば、カマが接する支柱が円筒形に形成されるので、カマがスムーズに回転する。
【００２２】
請求項５に記載の発明によれば、一対の支柱に移動部材を案内する機能を持たせることができる。
【００２３】
請求項６に記載の発明によれば、移動部材をデッドボルトと兼用することができる。
【図面の簡単な説明】
【００２４】
【図１】本発明の一実施形態のカマ錠の外観図
【図２】カマ錠を戸に取り付けた例を示す斜視図
【図３】本実施形態のカマ錠の分解斜視図
【図４】シリンダが取り付けられた蓋の背面斜視図
【図５】本実施形態のカマ錠の解錠状態及び施錠状態を示す断面図（図中左の欄が解錠状態を示し、図中右の欄が施錠状態を示す。図中上端は正面図を示し、図中中段は揺動板の位置の断面図を示し、図中下段はカムの位置の断面図を示す）
【図６】本実施形態のカマ錠のシリンダに沿った断面図
【図７】本実施形態のカマ錠の動作図
【発明を実施するための形態】
【００２５】
以下添付図面に基づいて本発明の第一の実施形態のカマ錠を詳細に説明する。図１は、カマ錠の外観図を示す。本実施形態のカマ錠は、扉又は引き戸等に取り付けられる錠ケース１と、錠ケース１に出没可能に設けられる移動部材としてのデッドボルト２と、デッドボルト２の直進移動に連動して回転する左右一対のカマ４ａ，４ｂと、を備える。図１には、デッドボルト２及びカマ４ａ，４ｂが錠ケース１から突出した施錠状態が示されている。
【００２６】
錠ケース１は直方体形状に形成される。錠ケース１にはデッドボルト２を出し入れするための機構が収められている。錠ケース１の正面にはシリンダ３が設けられる。シリンダ３に鍵を挿入し、内筒を回転させることで、デッドボルト２が錠ケース１から出たり入ったりする。デッドボルト２の直進移動に連動してカマ４ａ，４ｂが回転する。デッドボルト２が施錠方向に直進移動するとき、カマ４ａ，４ｂは施錠方向（開き方向）に回転する。逆にデッドボルト２が解錠方向に直進移動するとき、カマ４ａ，４ｂは解錠方向（閉じ方向）に回転する。
【００２７】
図２はカマ錠を戸５に取り付けた例を示す。カマ錠には戸５の凹部に収められる掘込型と戸の表面に取り付ける面付型とがある。図２には戸５の表面に取り付けられる面付型のカマ錠を示す。錠ケース１の四隅には、通し孔１ａが開けられる。錠ケース１の通し孔１ａに皿ねじ等のねじ６を通し、ねじ６を戸５に締めることで、錠ケース１を戸５に固定する。戸５にはカマ錠のシリンダ３が挿入されるシリンダ孔５ａが開けられる。枠８には受け座７が皿ねじ等のねじ９で取り付けられる。受け座７には、錠ケース１から出てくるデッドボルト２及びカマ４ａ，４ｂを受ける孔７ａが開けられる。枠８には受け座７の孔７ａに対応する位置にデッドボルト２及びカマ４ａ，４ｂの侵入を許容する凹部８ａが設けられる。
【００２８】
図３はカマ錠の分解斜視図を示す。錠ケース１は、ケース１４と、ケース１４の開口部を覆う蓋１３と、を備える。ケース１４は、底壁１１ａ及び側壁１１ｂ〜１１ｅを有するケース本体１１と、ケース本体１１に装着されるねじ孔カバー１２と、を備える。以下にケース本体１１、蓋１３、ねじ孔カバー１２の構造を順番に説明する。
【００２９】
ケース本体１１は、矩形状の底壁１１ａ、底壁１１ａの周囲の四辺から直角方向に直立する四つの側壁１１ｂ〜１１ｅと、を備える。ケース本体１１の四つの側壁のうち、対向する二つの側壁１１ｂ，１１ｃは互いに平行であり、対向する二つの側壁１１ｄ，１１ｅは互いに平行である。側壁１１ｂ〜１１ｅの上端部には、一段高さが高くなる段差部１５が形成される。段差部１５は蓋１３の厚さの分だけ他の部分よりも高さが高くなっている。受け座７に対向する側壁１１ｂには、デッドボルト２が出入りする細長い四角形のデッドボルト嵌合孔１６が開けられる。底壁１１ａの四隅には、錠ケース１を戸５に固定するための皿ねじ等のねじ６が通される通し孔１ａが開けられる。通し孔１ａの周囲は皿ねじ等のねじ６の頭部に対応して円錐形に盛り上がっている。底壁１１ａには、一対の支柱２１を固定するための一対の嵌合孔１７が開けられる。ケース本体１１は金属板をプレス加工することによって形成される。
【００３０】
ケース本体１１の底壁１１ａには一対の支柱２１がかしめ固定される。支柱２１はケース本体１１の内側にケース本体１１の側壁１１ｂ〜１１ｅから離れた位置に設けられる。支柱２１はケース本体１１の左右方向の両端部に通し孔１ａの間に配置される。ここでは、施錠方向及び解錠方向に対して直交する方向を左右方向とする。図７に示すように、支柱２１はケース本体１１に解錠状態のカマ軸２２の位置よりも解錠方向側に配置される。
【００３１】
図３に示すように、支柱２１は円筒形の本体部２１ａと、本体部２１ａよりも小径の嵌合部２１ｂと、を備える。支柱２１の嵌合部２１ｂがケース本体１１の底壁１１ａの嵌合孔１７に嵌められる。支柱２１の嵌合部２１ｂがケース本体１１の底壁１１ａにかしめ固定される。本体部２１ａの内周には雌ねじが加工される。支柱２１の雌ねじには、蓋１３を支柱２１に固定するための締結部材としての皿ねじ等のねじ２５が螺合する。
【００３２】
ケース本体１１には樹脂製のねじ孔カバー１２が装着される。ねじ孔カバー１２は錠ケース１の戸５への取付施工時、切りくずが錠ケース１内に混入するのを防止する。ねじ孔カバー１２は、四つの円筒状のねじ案内部１２ａと、四つのねじ案内部１２ａを連結する連結枠１２ｂと、を備える。四つのねじ案内部１２ａには、錠ケース１を戸５に固定するためのねじ６（図２参照）が通される。
【００３３】
ケース本体１１の開口部は矩形状の蓋１３によって覆われる。蓋１３はケース本体１１の側壁１１ｂ〜１１ｅの上面に載せられる。蓋１３の周囲の四辺には、ケース本体１１の段差部１５に対応する凹部１３ａが形成される。蓋１３をケース本体１１の側壁１１ｂ〜１１ｅの上面に載せたとき、ケース本体１１の側壁１１ｂ〜１１ｅの段差部１５が蓋１３の凹部１３ａに嵌まり、ケース本体１１に蓋１３が位置決めされる。蓋１３の四隅には、錠ケース１を戸５に固定するためのねじ６が通る通し孔１ａが開けられる。蓋１３は金属板をプレス加工することによって形成される。
【００３４】
以下にデッドボルト２を錠ケース１から出入りさせるための機構を説明する。シリンダ３は蓋１３に取り付けられる。シリンダ３は、外筒３ｂと、外筒３ｂの中に設けられる内筒３ａと、を備える。シリンダ３の外筒３ｂは蓋１３に止めねじによって固定される。シリンダ３の内筒３ａは蓋１３の中央部のシリンダ嵌合孔１３ｂに挿入される。内筒３ａには鍵穴がある。外筒３ｂと内筒３ａにまたがるようにタンブラーが設けられる。鍵をさすとタンブラーが障害にならない位置に動き、内筒３ａを回転できるようになっている。
【００３５】
デッドボルト２はケース本体１１に施錠方向及び解錠方向に直進移動可能に設けられる。デッドボルト２の直進移動は左右一対の支柱２１によって案内される（図７も参照）。デッドボルト２は、ケース本体１１のデッドボルト嵌合孔１６に嵌められる突出部２ａと、ケース本体１１内に収容される本体部２ｂと、を備える。デッドボルト２の本体部２ｂには、解錠方向に伸びる一対の脚部２ｂ１が設けられる。デッドボルト２の本体部２ｂには、左右方向に対して傾斜するカム溝２ｃが設けられる。デッドボルト２の本体部２ｂには、左右一対のカマ軸２２が取り付けられる。カマ軸２２にはカマ４ａ，４ｂが回転可能に連結される。
【００３６】
カマ４ａ，４ｂは、ケース本体１１のデッドボルト嵌合孔１６から突出可能な先端部３１と、カマ４ａ，４ｂの回転を制御する操作部３２と、を備える。カマ４ａ，４ｂは先端部３１及び操作部３２によって略Ｌ字形に形成されている。カマ４ａ，４ｂの先端部３１と操作部３２との交差部分にカマ軸２２に嵌められる孔３３が開けられる。先端部３１は、草や芝を刈るのに使う農具であるカマのような形をしており、左方向又は右方向の外側に突出している。操作部３２には、ねじ孔カバー１２のねじ案内部１２ａに接触可能な第一の操作部３２ａ、支柱２１に接触可能な第二の操作部３２ｂが設けられる。
【００３７】
カム３４は、シリンダ３の内筒３ａと一体に回転するようにシリンダ３の内筒３ａに止め輪３５を介して結合される（図６参照）。カム３４は円盤状に形成される本体部３４ａと、本体部３４ａの円周方向の一部から半径に突出する突出部３４ｂを有する。
【００３８】
揺動板４１はシリンダ３の内筒３ａに自由に回転できるように止め輪４２を介して装着される（図６参照）。揺動板４１はカム３４よりも蓋１３側に配置される（図６参照）。揺動板４１にはデッドボルト２のカム溝２ｃに嵌まる揺動板用ピン４５が固定される。揺動板４１には揺動板４１の回転角度を制限するための切欠き４１ａが形成される。揺動板４１には案内板４４に接触可能な折曲げ片４１ｂが形成される。
【００３９】
案内板４４は、一方向に細長い当接片４４ａと、当接片４４ａに一体に結合される連結片４４ｂと、を備える。連結片４４ｂには長孔４４ｂ１が形成される。長孔４４ｂ１には支柱２１が嵌められる。案内板４４は支柱２１の回りに回転可能にかつ長孔４４ｂ１の長さ方向に移動可能になっている。
【００４０】
ばね４８は、支柱２１に嵌められる円筒形の本体部４８ａと、本体部４８ａから半径方向に突出する一対の板ばね部４８ｂと、を備える。板ばね部４８ｂの先端は案内板４４に接する。ばね４８は、案内板４４を揺動板４１に付勢する。
【００４１】
以下にカマ錠の機構の動きを説明する。まず、カム３４及び揺動板４１の動きを説明する。図４はシリンダ３が取り付けられた蓋１３の、ケースの内側から見た斜視図を示す。シリンダ３の内筒３ａにはカム３４が一体に回転するように結合される。また、シリンダ３の内筒３ａには揺動板４１が自由に回転できるように連結される。カム３４が時計方向に回転すると、カム３４の突出部３４ｂの時計方向側の端部が揺動板４１の揺動板用ピン４５に接し、揺動板４１が揺動板用ピン４５と一緒に時計方向に回転する。揺動板４１の時計方向の回転は蓋１３に設けたピン４６によって制限される。カム３４はピン４６からシリンダ３の軸方向に離れていて、カム３４の回転はピン４６によって制限されることはない。カム３４が反時計方向に回転すると、カム３４の突出部３４ｂの反時計方向側の端部が揺動板４１の揺動板用ピン４５に接し、揺動板４１が揺動板用ピン４５と一緒に反時計方向に回転する。揺動板４１の反時計方向の回転は蓋１３に設けたピン４６によって制限される。
【００４２】
次に、図５を参照して揺動板４１の回転に伴うデッドボルト２の直進移動を説明する。図５の左欄は解錠状態のカマ錠を示し、図５の右欄は施錠状態のカマ錠を示す。図５の上段の（ａ−１）（ａ−２）はカマ錠の正面図を示し、図５の中段の（ｂ−１）（ｂ−２）は揺動板４１の位置の断面図を示し、図５の下段の（ｃ−１）（ｃ−２）はカム３４の位置の断面図を示す。
【００４３】
図５（ｂ−１）（ｃ−１）に示すように、カム３４と一緒に揺動板４１が時計方向に回転すると、デッドボルト２の傾斜したカム溝２ｃに嵌められている揺動板用ピン４５がカム溝２ｃを右方向に移動し、デッドボルト２が解錠方向に直進移動する。デッドボルト２は、一対の支柱２１によって左右方向に挟まれており、施錠方向及び解錠方向への直進移動のみできるようになっている。解錠状態において、揺動板４１は蓋１３に設けたピン４６に接する。揺動板４１が解錠状態まで回転すると、案内板４４は揺動板４１に時計方向の回転力を付与する。案内板４４からの回転力によって揺動板４１が解錠状態を維持する。
【００４４】
図５（ｂ−２）（ｃ−２）に示すように、カム３４と一緒に揺動板４１が反時計方向に回転すると、揺動板４１の揺動板用ピン４５がデッドボルト２のカム溝２ｃを左方向に移動し、デッドボルト２が施錠方向に直進移動する。施錠状態において、揺動板４１は蓋１３に設けたピン４６に接する。揺動板４１が施錠状態まで回転すると、案内板４４は揺動板４１に反時計方向の回転力を付与する。案内板４４からの回転力によって揺動板４１が施錠状態を維持する。
【００４５】
次に図７を参照してデッドボルト２の直進移動に伴うカマ４ａ，４ｂの回転について説明する。解錠状態において、カマ４ａ，４ｂの操作部３２は支柱２１とケース１４の内壁との間に挟まれている。
【００４６】
施錠操作によりデッドボルト２が施錠方向に直進移動を始めると（施錠中−１）、カマ軸２２に連結されたカマ４ａ，４ｂもデッドボルト２と同様に直進移動を開始する。このとき、カマ４ａ，４ｂは操作部３２が支柱２１とケース１４の内壁とに間に挟まれているので、回転運動が制限されている。
【００４７】
デッドボルト２がさらに施錠方向に移動すると（施錠中−２→施錠中−３）、カマ４ａ，４ｂの操作部３２はねじ孔カバー１２のねじ案内部１２ａに接触する。ねじ孔カバー１２のねじ案内部１２ａの替わりにカマ４ａ，４ｂの操作部３２をケース１４の側壁又はケース１４の皿状に形成された通し孔１ａに接触させてもよい。このとき、カマ４ａ，４ｂの操作部３２は支柱２１から開放された状態にあるので、解錠方向（開き方向）に自由度がある。カマ４ａ，４ｂはデッドボルト２の直進運動と連動しながらカマ軸２２を支点にして回転し、スムーズに施錠状態へと移行する。施錠状態では、デッドボルト２は施錠方向の端部に移動した状態にあり、カマ４ａ，４ｂは施錠方向（開き方向）に回転した状態にある。
【００４８】
次に解錠操作によってデッドボルト２が解錠方向に直進移動を始めると（解錠中−１→解錠中−２）、カマ軸２２に連結されたカマ４ａ，４ｂも一緒に移動を開始する。このとき、カマ４ａ，４ｂは操作部３２が支柱２１と接触状態となり、カマ４ａ，４ｂにはカマ軸２２を支点とした解錠方向（閉じ方向）の回転力が発生する。
【００４９】
デッドボルト２の解錠方向への移動が進むと（解錠中−３）、カマ４ａ，４ｂの操作部３２は支柱２１とケース１４の内壁との間に挟まれた状態になる。これによりカマ４ａ，４ｂの回転方向への自由度が無くなり、カマ４ａ，４ｂはデッドボルト２と同様の直進移動を行う。このようにカマ４ａ，４ｂは操作部３２の形状により常に支柱２１に動きを制御されながらスムーズに解錠状態へと移行する。カマ４ａ，４ｂの操作部３２の形状を変えることにより任意な動きへの調整が可能になる。
【００５０】
なお、本発明は上記実施形態に具現化されるのに限られることはなく、本発明の要旨を変更しない範囲で他の実施形態に具現化できる。
【００５１】
上記実施形態では、ケースの底壁に支柱を固定しているが、ケースの内側に支柱が配置されていれば、蓋に支柱を固定することもできる。
【００５２】
上記実施形態では、デッドボルトに左右一対のカマを設けているが、カマを一つのみにすることもできる。
【００５３】
上記実施形態のデッドボルト、カマの形状は一例を示すものであり、本発明の要旨を変更しない範囲で他の形状にすることができる。
【００５４】
上記実施形態では、移動部材としてデッドボルトを用い、デッドボルトを受け座に係合させているが、受け座に係合しない移動部材を用いることもできる。
【００５５】
デッドボルトを直進移動させるための駆動機構は上記実施形態のカム、揺動板、及び案内板に限られることはなく、本発明の要旨を変更しない範囲で他の構造を採用できる。
【符号の説明】
【００５６】
２…デッドボルト（移動部材）
４ａ，４ｂ…カマ
１１…ケース本体（ケース）
１２…ねじ孔カバー（ケース）
１３…蓋
１４…ケース
２１…支柱
２２…カマ軸
【図１】
2014159705.tif 000003
【図２】
2014159705.tif 000004
【図３】
2014159705.tif 000005
【図４】
2014159705.tif 000006
【図５】
2014159705.tif 000007
【図６】
2014159705.tif 000008
【図７】
2014159705.tif 000009